(57)【要約】【課題】使用者に身体的、精神的な制約を課すことなく、踵部の褥瘡発生を効果的に防止し得るクッションを提供する。【解決手段】、表皮体（２）内に弾性材（３）を充填して構成されるクッション（１）において、上記表皮体（２）に、表面側表皮（２ａ）と裏面側表皮（２ｂ）を所要幅のマチ材（７）を介して離間縫合してなる第１縫合部（４）と、表面側表皮（２ａ）と裏面側表皮（２ｂ）を直に縫合してなる第２縫合部（５）を略直交状態に形成し、該各縫合部で区画された複数の袋空間のそれぞれに上記弾性材（３）を充填してクッション部（２０，３０，４０）を形成する。係る構成によれば、踵部（１４）を上記第２縫合部（５）部分に対応させることで、該踵部（１４）に体圧集中による血流阻害を抑制し、褥瘡の発生を確実に防止することができる。【選択図】図１
2017209470.tif 000002
【特許請求の範囲】
【請求項１】
扁平袋状の表皮体内に弾性材を充填して構成されるクッションであって、
上記表皮体には、表面側表皮と裏面側表皮を所要幅のマチ材を介して離間縫合してなる第１縫合部と表面側表皮と裏面側表皮を直に縫合してなる第２縫合部が略直交状態に形成され、該各縫合部で区画された複数の袋空間のそれぞれに上記弾性材が充填されてクッション部を形成していることを特徴とするクッション。
【請求項２】
請求項１において、
上記第１縫合部の縫合方向において上記第２縫合部を挟んで隣接する一対のクッション部の間では、一方のクッション部はその厚さ寸法が大きく且つ高い反発性を備え、他方のクッション部はその厚さ寸法が小さく且つ低い反発性を備えるようにその特性が相対的に設定されていることを特徴とするクッション。
【請求項３】
請求項２において、
上記一方のクッション部と他方のクッション部との間における相対的特性が、該各クッション部に充填される弾性材の充填密度の調整によって行われることを特徴とするクッション。
【請求項４】
請求項１，２又は３において、
上記弾性材がラテックスフォームで構成されていることを特徴とするクッション。
【請求項５】
請求項４において、
上記ラテックスフォームが、チップ集合体又は一体成形体で構成されていることを特徴とするクッション。
【発明の詳細な説明】
【技術分野】
【０００１】  本願発明は、仰臥姿勢にある人の下肢、特に踵部の褥瘡発生を防止するためのクッションに関するものである。
【背景技術】
【０００２】  寝床上に仰臥した人の寝床に対する体圧分布は、体表面が下方に出っ張った臀部と踵部に集中し、長時間の仰臥姿勢の保持によって臀部とか踵部においては血流が阻害されて褥瘡が発生し易くなることが知られている。【０００３】  ここで、臀部の褥瘡防止対策としては、長時間に亘って継続的に仰臥姿勢を保持させることなく、定期的に仰臥姿勢から側臥姿勢に体位を変換して臀部の血流阻害を抑制することが有効であるとされ、介護現場等においてはこの体位変換手法が広く採用されている。【０００４】  ところが、下肢は股関節の働きによって胴体部とは異なった姿勢を取り得ることから、上述のように人体を仰臥姿勢から側臥姿勢に体位変換しても、この体位変換に連動させて左右の下肢の姿勢を同時に変化させることは困難であり、また仰臥姿勢を維持したまま下肢のみを捩ってその姿勢を変化させることも困難である。即ち、下肢の姿勢変換によって踵部の褥瘡防止を実現することは困難である。【０００５】  このような事情に鑑み、踵部の褥瘡防止対策として、踵部を個別に保護する褥瘡防止具が提案されている（特許文献１〜４参照）。【０００６】  特許文献１〜３に示されるものは、共に、踵部を中心にその前後の部分を覆う弾性材でなる略船形の支持具を備え、この支持具を人の踵部を覆うようにその下側から当てて固定するものであって、該支持具の弾性によって踵部に掛る力（下肢の重さに起因する力）を分散させて該踵部の血流阻害を抑制し、これによって踵部の褥瘡発生を防止しようとするものである。【０００７】  特許文献４に示されるものは、伸縮性筒状のクッションカバーを、下肢の脹脛部から足首までの部分に巻きつけて固定し、該クッションカバーの先端から前方へ足首から先の部分を露出させたものである。このクッションカバーの装着状態においては、下肢の重みは上記クッションカバー部分で支持され、踵部は寝床に対して非接触状態とされるため、該踵部の血流阻害が抑制され、該踵部の褥瘡発生が防止されるものである。
【先行技術文献】
【特許文献】
【０００８】
【特許文献１】  特開２０１４−３９１８９号公報
【特許文献２】  特開２０１４−１９９５８号公報
【特許文献３】  特表２００９−５０８６２５号公報
【特許文献４】  特開２０１５−１２８５２８号公報
【発明の概要】
【発明が解決しようとする課題】
【０００９】  ところが、上掲各特許文献１〜４に示される手法では、常時支持具（特許文献１〜３）とかクッションカバー（特許文献４）を踵部部分あるいは踵部の近傍に固定保持しておくことが必要であって、特に使用者（踵部の褥瘡防止対象者）が自己意思による下肢移動を行える者である場合には、該使用者に過度の身体的、精神的な制約を課すこととなり、介護現場あるいは医療現場からは、介護効果あるいは治療効果が減殺されるという問題が指摘されていた。【００１０】  そこで本発明では、使用者に身体的、精神的な制約を課すことなく、踵部の褥瘡発生を効果的に防止し得るクッションを提供することを目的としてなされたものである。
【課題を解決するための手段】
【００１１】  本願発明ではかかる課題を解決するための具体的手段として次のような構成を採用している。【００１２】  本願の第１の発明では、扁平袋状の表皮体内に弾性材を充填して構成されるクッションにおいて、上記表皮体に、表面側表皮と裏面側表皮を所要幅のマチ材を介して離間縫合してなる第１縫合部と、表面側表皮と裏面側表皮を直に縫合してなる第２縫合部を略直交状態に形成し、該各縫合部で区画された複数の袋空間のそれぞれに上記弾性材を充填してクッション部を形成したことを特徴としている。【００１３】  本願の第２の発明では、上記第１の発明に係るクッションにおいて、上記第１縫合部の縫合方向において上記第２縫合部を挟んで隣接する一対のクッション部の間では、一方のクッション部はその厚さ寸法が大きく且つ高い反発性を備え、他方のクッション部はその厚さ寸法が小さく且つ低い反発性を備えるようにその特性を相対的に設定したことを特徴としている。【００１４】  本願の第３の発明では、上記第２の発明に係るクッションにおいて、上記一方のクッション部と他方のクッション部との間における相対的特性を、該各クッション部に充填される弾性材の充填密度の調整で行うことを特徴としている。【００１５】  本願の第４の発明では、上記第１、第２又は第３の発明に係るクッションにおいて、上記弾性材をラテックスフォームで構成したことを特徴としている。【００１６】  本願の第５の発明では、上記第３の発明に係るクッションにおいて、上記ラテックスフォームを、チップ集合体又は一体成形体で構成したことを特徴としている。
【発明の効果】
【００１７】  本願発明では次のような効果が得られる。【００１８】  （ａ）本願の第１の発明に係るクッションによれば、扁平袋状の表皮体内に弾性材を充填して構成されるクッションにおいて、上記表皮体に、表面側表皮と裏面側表皮を所要幅のマチ材を介して離間縫合してなる第１縫合部と、表面側表皮と裏面側表皮を直に縫合してなる第２縫合部を略直交状態に形成し、該各縫合部で区画された複数の袋空間のそれぞれに上記弾性材を充填してクッション部を形成している。【００１９】  このため、上記第１縫合部に対応する部分においては、図３に例示するように、上記マチ材によって表面側表皮と裏面側表皮とが上下方向（クッション厚さ方向）に離間しており、該第１縫合部を挟んでその両側に隣接するクッション部の傾斜角「θ１」は、該クッション部内に充填された弾性材の弾性力（反発力）を受けて水平に近い大きな角度となっており、該第１縫合部部分に荷重（体圧）が作用した場合、図７に例示するように、この荷重は隣接するクッション部によって浮上支持され該クッション部に効率よく分散支持される。【００２０】  一方、上記第２縫合部に対応する部分においては、図４に例示するように、表面側表皮と裏面側表皮とが直に縫合されていることから、該第２縫合部を挟んでその両側に隣接するクッション部の傾斜角「θ２」は、垂直に近い小さな角度となっている。したがって、上記第２縫合部部分に荷重（体圧）が作用した場合、図６の左側部分に例示するように、この荷重は隣接するクッション部では殆ど支持されず、荷重負荷点（例えば、下肢の踵部）は隣接するクッション部の対向隙間内に落ち込むことになり、該踵部には殆ど圧迫力（体圧）は作用しない。【００２１】  以上のことから、図５に例示するように、仰臥した人の下肢の下側にクッション（１）を敷き込み、脹脛部（１１）及び大腿部（１２）を上記クッション（１）の第１縫合部（４）に位置させるとともに、足部（１３）の踵部（１４）を上記第２縫合部（５）に位置させることで、上述の図６、図７に例示したように、脹脛部（１１）及び大腿部（１２）では、体圧が第２縫合部（５）を挟んで隣接するクッション部に分散支持されることで、該脹脛部（１１）及び大腿部（１２）への体圧集中がなく心地良い支持感が得られる。
一方、上記足部（１３）側においては、踵部（１４）が隣接するクッション部の対向隙間内に落ち込むことになり、該踵部（１４）には殆ど圧迫力は作用しないことから、該踵部（１４）に体圧集中による血流阻害は発生せず、褥瘡の発生が確実に防止されることになる。【００２２】  しかも、この場合、仰臥した使用者は上記クッション上に下肢を載せただけで、その姿勢とか動作についてはクッション側から何ら束縛・拘束を受けないことから、該使用者が過度の身体的、精神的な制約を受けるということも無い。【００２３】  以上のように、本願発明によれば、使用者に身体的、精神的な制約を課すことなく、踵部の褥瘡発生を効果的に防止し得るクッションを提供することができるものである。【００２４】  （ｂ）本願の第２の発明に係るクッションによれば、上記（ａ）に記載の効果が得られるのに加えて、以下のような特有の効果が得られる。即ち、この発明によれば、上記第１の発明に係るクッションにおいて、上記第１縫合部の縫合方向において上記第２縫合部を挟んで隣接する一対のクッション部の間では、一方のクッション部はその厚さ寸法が大きく且つ高い反発性を備え、他方のクッション部はその厚さ寸法が小さく且つ低い反発性を備えるようにその特性を相対的に設定しているので、図６に例示するように、クッション（１）の第２縫合部（５）を挟んで隣接する一方のクッション部（２０）とその前後両端側にそれぞれ位置する他方のクッション部（３０）、（４０）に跨って下肢（１０）を載せ、踵部（１４）を他方のクッション部（３０）と一方のクッション部（２０）の間の第２縫合部（５）に位置させるとともに、上記一方のクッション部（２０）を脹脛部（１１）に、大腿部（１２）を他方のクッション部（４０）にそれぞれ位置させた場合、下肢（１０）の重さが上記一方のクッション部（２０）とその手前側に位置する他方のクッション部（４０）によって極めて効率よく分散支持される。【００２５】  即ち、下肢（１０）の下側に上記クッション（１）を介在させることで、該下肢（１０）はその脹脛部（１１）部分と大腿部（１２）部分が若干山形に折曲した状態となり、寝床面とクッション（１）との高さの差によって該大腿部（１２）と臀部（１６）の間に空間（段差部）が生じ、下肢（１０）の重さを一方のクッション部（２０）と他方のクッション部（４０）において効率良く分散支持させることができない恐れがある。【００２６】  しかし、この発明では、上述のように、一方のクッション部（２０）はその厚さ寸法が大きく且つ高い反発性を備え、他方のクッション部（４０）はその厚さ寸法が小さく且つ低い反発性を備えるように、これら両者の特性が相対的に設定されているので、上記他方のクッション部（４０）が上記大腿部（１２）の傾斜に沿うように上記一方のクッション部（２０）よりも大きく変形し、上記大腿部（１２）をその全域で支持することから、下肢（１０）の折曲に起因する大腿部（１２）と臀部（１６）の間の空間が可及的に消滅し、下肢（１０）の重さは上記一方のクッション部（２０）と他方のクッション部（４０）において効率良く分散支持される。この結果、上記踵部（１４）に掛る重さが可及的に軽減され、該踵部（１４��部分における褥瘡発生がより確実に防止されることになる。【００２７】  なお、係る効果は、図６に例示するように高さの高いクッション部（２０）の前後両側に高さの低いクッション部（３０）、（４０）が存在する場合は勿論のこと、図６において他方のクッション部（３０）が存在せず、踵部（１４）が一方のクッション部（２０）の前端側に延出して位置するような場合にも得られるものである。【００２８】（ｃ）本願の第３の発明に係るクッションによれば、上記（ａ）又は（ｂ）に記載の効果が得られるのに加えて、以下のような特有の効果が得られる。即ち、この発明によれば、上記一方のクッション部と他方のクッション部との間における相対的特性を、該各クッション部に充填される弾性材の充填密度の調整で行う構成であることから、予め表皮体の大きさを異ならせて縫製する場合に比してその製作が容易であり、延いてはクッションの製造コストの低廉化が図れることになる。【００２９】  （ｄ）本願の第４の発明に係るクッションによれば、上記（ａ）、（ｂ）又は（ｃ）に記載の効果が得られるのに加えて、以下のような特有の効果が得られる。即ち、この発明によれば、上記弾性材をラテックスフォームで構成しているので、体圧分散効果が高く極めて且つ使用によるヘタリが極めて少なく耐久性に富むというラテックスフォーム特有の性状効果によって、高い褥瘡防止効果が長期に亘って維持されるなど、商品価値の高いクッションを提供できる。【００３０】  （ｅ）本願の第５の発明に係るクッションによれば、上記（ｄ）に記載の効果が得られるのに加えて、以下のような特有の効果が得られる。即ち、この発明によれば、上記ラテックスフォームを、チップ集合体又は一体成形体で構成しているので、該チップ集合体で構成した場合には軟らかめの使用感が得られ、一体成形体で構成した場合には硬めの使用感が得られるので、これら両者を選択使用することで、使用者の好みに合ったクッションを提供できる。
【図面の簡単な説明】
【００３１】
【図１】  本願発明の実施の形態に係るクッションの全体斜視図である。
【図２】  上記クッションの平面図である。
【図３】  図２のＡ−Ａ断面図である。
【図４】  図２のＢ−Ｂ断面図である。
【図５】  クッションの使用状態を示す斜視図である。
【図６】  図５のＣ−Ｃ拡大断面図である。
【図７】  図５のＤ−Ｄ拡大断面図である。
【図８】  クッションの製作工程説明図である。
【図９】  表皮体の縫製工程説明図である。
【図１０】  クッションの他の形体の説明図である。
【発明を実施するための形態】
【００３２】  図１には、本願発明の実施形態に係るクッション１を示している。このクッション１は、仰臥姿勢にある人の下肢の下側に差し入れてこれを支持することで、踵部の褥瘡を効果的に防止するものであって、扁平袋状の表皮体２内に弾性材３を充填して構成される。なお、この実施形態では、上記弾性材３を、ラテックスフォームのチップを多数集合させてなるチップ集合体、あるいはラテックスフォームの一体成形体で構成している。
【００３３】  Ａ：クッション１の構成
以下、このクッション１の構成等について説明するが、このクッション１は、上述のように扁平袋状の表皮体２内に弾性材３を充填して構成されるものであって該弾性材３の弾発力（復元力）によって上記表皮体２が拡張展延されることから、実際には図３、図４及び図６、図７に断面で図示するように角の無い丸みを帯びた形体とされるが、図１、図２、図５及び図８、図１０においては、作図の便宜上、角張った形状に記載している。
【００３４】  上記クッション１は、図１及び図２に示すように、縦横に設けられた複数の縫合部で仕切って形成された各空間部内にそれぞれ弾性材３を充填して複数のクッション体を形成して構成される。そして、このクッション１では、この各縫合部の形状及びその相対位置に特徴をもつとともに、該各クッション体相互の相対的特性に特徴をもつものである。
【００３５】  即ち、このクッション１では上記表皮体２をその奥行方向に略４等分する位置をそれぞれ直線状に縫合して第１縫合部４とするとともに、その幅方向の一端寄り位置と他端寄り位置をそれぞれ上記各第１縫合部４に略直交するように直線状に縫合して第２縫合部５としている。そして、この各第１縫合部４及び各第２縫合部５で区画された各空間部内にそれぞれ弾性材３を充填してクッション体２１〜２４、３１〜３４、４１〜４４としている。
【００３６】  また、上記各クッション体２１〜２４、３１〜３４、４１〜４４は、２本の第２縫合部５で区画された前後三つの部分のうち、幅方向中央寄りに位置する幅広の部分に対応する四つのクッション体２１〜２４で中央クッション部２０を、該中央クッション２０の一側方に位置する狭幅の部分に対応する四つのクッション体３１〜３４で第１端クッション部３０を、さらに、他側方に位置する狭幅の部分に対応する四つのクッション体４１〜４４で第２端クッション部４０をそれぞれ構成している。
【００３７】  一方、上記第１縫合部４は、図３に示すように、上記表皮体２に表面側表皮２ａと裏面側表皮２ｂを所定幅のマチ材７を介して離間状態で縫合したものである。このため、この第１縫合部４部分においては、上記表面側表皮２ａと裏面側表皮２ｂは上記マチ材７によって対向間隔が一定に規制された状態で、該マチ材７を挟んで隣接するクッション体に充填された弾性材３の弾性力（反発力）を受けて外方側へ膨出変位されており、この結果、上記第１縫合部４を挟んでその両側に隣接するクッション体（例えば、中央クッション部２０についてみれば、第１クッション体２１と第２クッション体２２、第２クッション体２２と第３クッション体２３、第３クッション体２３と第４クッション体２４）の表面の傾斜角「θ１」は水平に近い大きな角度となっている。
【００３８】  これに対して、上記第２縫合部５は、図４に示すように、上記表皮体２の表面側表皮２ａと裏面側表皮２ｂを直接縫合したものである。このため、該第２縫合部に対応する部分においては、該第２縫合部を挟んでその両側に隣接するクッション部（例えば、第１端クッション部３０の第３クッション体３３と中央クッション部２０の第３クッション体２３、上記中央クッション部２０の第３クッション体２３と上記第２端クッション部４０の第４クッション体４４）の表面の傾斜角「θ２」は、垂直に近い小さな角度となっている。
【００３９】  なお、図４に示すように、中央クッション部２０に属する第３クッション体２３の高さ「ｈ１」は、該中央クッション部２０の両側に位置する第１端クッション部３０に属する第３クッション体３３及び第２端クッション部４０に属する第３クッション体４３の高さ「ｈ２」よりも低く形成されている。
【００４０】  この高さの差は、次述する表皮体２の寸法を異ならせて得るものではなく、該表皮体２の上記第１縫合部４と第２縫合部５で区画された各空間内に充填される弾性材の充填密度を調整することで得るものである。即ち、上記表皮体２の同じ高さの空間部内に弾性材を充填する場合、その充填密度が高いほど（換言すれば。充填量が多いほど）表皮が該弾性材の弾性復元力によって外側へ膨出変形するため、その高さが高くなるものである。また、この弾性材の充填密度の相違から、該充填密度が高いクッション体の弾性反発力は、充填密度が低いクッション体の弾性反発力よりも大きくなり、前者では硬めのクッション性が得られ、後者では軟らか目のクッション性が得られる。
【００４１】Ｂ：クッション１の形成手順
ここで、上記クッション１の形成手順を、図８を参照して簡単に説明する。先ず、同図（イ）に示すように、筒状の表皮体２内に三つのマチ材７を表面側表皮２ａと裏面側表皮２ｂの間に跨って縫合して該表皮体２内に４個の空間部を並設する。しかる後、同図（ロ）に示すように、上記表皮体２をその一端縁において表面側表皮２ａと裏面側表皮２ｂを直に縫合して該一端縁側を閉塞する。
【００４２】  次に、同図（ハ）に示すように、上記表皮体２の上記各空間部の開口端側からその奥部にそれぞれ弾性材３を充填した後、該弾性材３を内包させた状態で上記表面側表皮２ａと裏面側表皮２ｂを直に縫合（第２縫合部５）することで、四つのクッション体４１〜４４を備えた上記第２端クッション部４０が形成される。なお、上述のように、この第２端クッション部４０に属する各クッション体４１〜４４における弾性材の充填密度は低く設定される。
【００４３】  次に、同図（ニ）に示すように、上記表皮体２の上記各空間部の開口端側からその奥部（上記第２端クッション部４０寄り部分）にそれぞれ弾性材３を充填した後、該弾性材３を内包させた状態で上記表面側表皮２ａと裏面側表皮２ｂを直に縫合（第２縫合部５）することで、四つのクッション体２１〜２４を備えた中央クッション部２０が形成される。なお、上述のように、この中央クッション部２０に属する各クッション体２１〜２４における弾性材の充填密度は高く設定される。
【００４４】  次に、同図（ホ）に示すように、上記表皮体２の上記各空間部の開口端側からその奥部（上記中央クッション２０寄り部分）にそれぞれ弾性材３を充填した後、該弾性材３を内包させた状態で上記表面側表皮２ａと裏面側表皮２ｂを直に縫合（第２縫合部５）することで、四つのクッション体３１〜３４を備えた上記第１端クッション部３０が形成される。なお、上述のように、この第１端クッション部３０に属する各クッション体３１〜３４における弾性材の充填密度は低く設定される。
【００４５】  以上で、上記中央クッション部２０と第１端クッション部３０及び第２端クッション部４０を備えて構成される上記クッション１が得られる。
【００４６】Ｃ：表皮体２の縫製手順
次に、上記表皮体２の縫製手順を、図９を参照して簡単に説明する。先ず、図９（イ）に示すように表皮体２の素材として表面側表皮２ａと裏面側表皮２ｂを用意する。そして、この表面側表皮２ａと裏面側表皮２ｂの幅方向の略中央位置に、同図（ロ）に示すように、マチ材７ａを縫合固定する。
【００４７】  次に、同図（ハ）の左図に示すように、同図（ロ）の状態から表面側表皮２ａの他端部２ａ２を上方側から、裏面側表皮２ｂの他端部２ｂ２を下方側から、それぞれ一端部２ａ１，２ｂ１よりも後方側へ折り返し、該各他端部２ａ２，２ｂ２と上記マチ材７ａの中間位置にマチ材７ｂを縫合固定する。しかる後、同図（ハ）の右図に示すように、このマチ材７ｂから上記各他端部２ａ２，２ｂ２寄り部分を、上記一端部２ａ１，２ｂ１及び上記マチ材７ａの外側を迂回するようにして当初位置側へ折り返し、さらにこの折り返し部分の略中央位置において上記表面側表皮２ａと裏面側表皮２ｂにマチ材７ｃを縫合固定する。
【００４８】  次に、同図（ハ）の右図に示す状態から、上記表面側表皮２ａと裏面側表皮２ｂの上記マチ材７ｃより他端部２ａ２，２ｂ２側部分を上記マチ材７ａ側へ折り返し、同図（ニ）の左図に示すように、該他端部２ａ２，２ｂ２を重ね合わせて縫合する。しかる後、同図（ニ）の右図に示すように、この縫合した他端部２ａ２，２ｂ２部分を、上記各マチ材７ａ，７ｂ，７ｃの縫合部分の外側を迂回して折り返すことで、該他端部２ａ２，２ｂ２の縫合部は閉じ縫い状態となり、外方からの見栄えが良好となる。
【００４９】  さらに、同図（ニ）の右図に示す状態から、上記一端部２ａ１，２ｂ１寄りの端縁部分を上記他端部２ａ２，２ｂ２の縫合部より外側まで折り返し、同図（ホ）の左側の示すように、該一端部２ａ１，２ｂ１を重ね合わせて縫合する。しかる後、この一端部２ａ１，２ｂ１の縫合部を、上記各マチ材７ａ，７ｂ，７ｃの外側を迂回させて折り返すことで、同図（ホ）の右図に示すように、上記一端部２ａ１，２ｂ１の縫合部は閉じ縫い状態となり、外方からの見栄えが良好となる。以上で、上記基材表皮体２が得られる。
【００５０】Ｄ：クッション１の使用方法、作用効果
続いて、上述の如く構成された上記クッション１の使用方法、及びその作用効果等について説明する。なお、上記クッション１を構成する上記中央クッション部２０と第１端クッション部３０及び第２端クッション部４０は、それぞれ上記第２縫合部５の縫合方向に列設された複数のクッション体２１〜２４、３〜３４，４１〜４４で構成されるが、以下においては説明の便宜上、必要に応じて各クッション体２１〜２４、３〜３４，４１〜４４をそれぞれ中央クッション部２０，第１端クッション部３０、第２端クッション部４０として説明する。
【００５１】  上述にように、このクッション１は、仰臥姿勢にある人の下肢の下側に差し入れてこれを支持することで、踵部の褥瘡発生を効果的に防止せんとするものであって、その基本的な使用形態は図５に示す通りである。即ち、寝床上に仰臥した人の下側に上記クッション１を差し入れる場合、左右の下肢１０の脹脛部１１及び大腿部１２部分を上記クッション１の第１縫合部４に対応させるとともに、足部１３の踵部１４を上記クッション１の第２縫合部５に対応させる。
【００５２】  なお、この実施形態では両下肢１０を開いて仰臥する状態を例示したものであって、両下肢１０を左右両側にそれぞれ位置する二つの第１縫合部４に対応させているが、他の実施形態においては、両下肢１０を閉じた状態で仰臥させて隣接する第１縫合部４にそれぞれ対応させることもできる。
【００５３】  このように上記クッション１を寝床と仰臥姿勢にある人の下肢１０下側の間に設置することで、上記脹脛部１１及び大腿部１２の心地良い支持感の体得と、上記踵部１４における褥瘡防止が実現されるものである。
【００５４】  即ち、上記脹脛部１１及び大腿部１２が支持される上記クッション１の第１縫合部４部分においては、上述のように、該第１縫合部４を挟んでその両側に隣接するクッション部の表面の傾斜角「θ１」が水平に近い大きな角度となっている（図３参照）。このためため、この第１縫合部４部分に脹脛部１１及び大腿部１２を位置させてこれを支持させた場合、図７に示すように、該脹脛部１１及び大腿部１２の重さ（体圧）は、隣接するクッション部の弾性によって浮上支持され、該クッション部に効率よく分散伝達されることとなり、該脹脛部１１及び大腿部１２への体圧集中がなく、心地良い支持感が得られ、延いては快適な睡眠が促進される。
【００５５】  一方、上記下肢１０の脹脛部１１を上記クッション１の上記中央クッション部２０に、大腿部１２を上記第２端クッション部４０にそれぞれ位置させたことで、該下肢１０の重さが上記中央クッション部２０及び第２端クッション部４０によってより効果的に分散支持され、該脹脛部１１及び大腿部１２への体圧集中が防止される
【００５６】  即ち、上記クッション１においては、上記中央クッション部２０に属する各クッション体２１〜２４は厚さ寸法が大きく且つ高い反発性を備えるように構成される一方、該中央クッション部２０の前後に位置する上記第１端クッション部３０と第２端クッション部４０のそれぞれに属する各クッション体３１〜３４、４１〜４４は厚さ寸法が小さく且つ低い反発性を備えるように構成されているので、図６に示すように、上記クッション１の第２縫合部５を挟んで隣接する中央クッション部２０と、その前後両端側にそれぞれ位置する第１端クッション部３０及び第２端クッション部４０の三者に跨って下肢１０を載置し、その踵部１４を第１端クッション部３０と中央クッション部２０の間の第２縫合部５の部分に位置させるとともに、上記中央クッション部２０を脹脛部１１に、大腿部１２を上記第２端クッション部４０にそれぞれ位置させた場合、下肢１０の重さが上記中央クッション部２０とその手前側に位置する上記第２端クッション部４０によって極めて効率よく分散支持される。
【００５７】  即ち、下肢１０の下側に上記クッション１を介在させることで、寝床面に仰臥した人の下肢１０は脹脛部１１部分と大腿部１２部分が若干山形に折曲した状態となり、寝床面とクッション１との高さの差によって大腿部１２と臀部１６の間に空間（段差部）が生じ、下肢１０の重さを中央クッション部２０と第２端クッション部４０において効率良く分散支持できないことも懸念される。
【００５８】  しかし、この実施形態では、上記中央クッション部２０はその厚さ寸法が大きく且つ高い反発性を備え、上記第２端クッション部４０はその厚さ寸法が小さく且つ低い反発性を備えるように、これら両者の特性を相対的に設定しているので、上記第２端クッション部４０が上記大腿部１２の傾斜に沿うように上記中央クッション部２０よりも大きく変形して上記大腿部１２をその全域で支持することから、該下肢１０の折曲に起因する大腿部１２と臀部１６の間の空間が可及的に消滅し、下肢１０の重さは上記中央クッション部２０と第２端クッション部４０の双方において効率良く分散支持されることになる。
【００５９】  一方、上記第２縫合部５は、図４に示すように、上記表皮体２の表面側表皮２ａと裏面側表皮２ｂを直接縫合したものである。このため、上述のように、該第２縫合部に対応する部分においては、該第２縫合部を挟んでその両側に隣接するクッション部の表面の傾斜角「θ２」は、垂直に近い小さな角度となっており、垂直方向に作用する重さ（体圧）に対しては殆ど支持作用を為さないことになる。
【００６０】  したがって、上記第２縫合部５部分に踵部１４が位置し、該踵部１４を通して該第２縫合部５部分に下肢の重さの一部が作用した場合、図６に示すように、この体圧は隣接するクッション部では殆ど支持されず、該踵部１４部分は隣接するクッション部の対向隙間内に落ち込むことになり、該踵部１４には殆ど圧迫力（体圧）は作用しない状態となる（即ち、圧迫力回避性が高い）。
【００６１】  さらに、上述のように上記第２端クッション部４０の高さと反発性が上記中央クッション部２０のそれらよりも小さく設定され、山形に折曲状態となる下肢１０の脹脛部１１と大腿部１２が上記中央クッション部２０と第２端クッション部４０によって効率的に分散支持されることで、上記踵部１４に掛る重さが寄り一層軽減されている。
【００６２】  これら両者の相乗効果として、上記踵部１４には体圧集中による血流阻害は発生せず、該部分における褥瘡の発生が確実に防止されることになる。
【００６３】  また、上述のように仰臥姿勢で上記クッション１を使用する場合、使用者は上記クッション１上に下肢を載せただけで良く、その姿勢とか動作については該クッション１側から何ら束縛・拘束を受けないことから、使用者は過度の身体的、精神的な制約を受けることが無く、上記クッション１に下肢１０を預けて仰臥した姿勢での快適性が向上する。
【００６４】Ｅ：クッション１の他の形体
上記クッション１は、上述のように第１縫合部４と第２縫合部５の組み合わせによって下肢１０の快適な支持と踵部１４の褥瘡防止を両立させるものであって、係る第１縫合部４と第２縫合部５の組み合わせが維持される限り、図１に示した形体に限定されるものではなく、使用者の使用形態とか好みに応じて、例えば、図９（イ）〜（ホ）に示すように、その形体を適宜選択して設定し得るものである。
【００６５】  図９（イ）に示すクッション１は、第１縫合部４を跨いで隣接する二つのクッション体２１、２２をもつ中央クッション部２０と、第１縫合部４を跨いで隣接する二つのクッション体３１、３２をもつ第１端クッション部３０を、第２縫合部５を介して隣接させた形体である。上記クッション１の本来的機能を実現する上での最少形体である。
【００６６】  図９（ロ）に示すクッション１は、第１縫合部４を跨いで隣接する三つのクッション体２１〜２３をもつ中央クッション部２０と、第１縫合部４を跨いで隣接する三つのクッション体３１〜３３をもつ第１端クッション部３０を、第２縫合部５を介して隣接させた形体である。
【００６７】  図９（ハ）に示すクッション１は、第１縫合部４を跨いで隣接する四つのクッション体２１〜２４をもつ中央クッション部２０と、第１縫合部４を跨いで隣接する四つのクッション体３１〜３４をもつ第１端クッション部３０を、第２縫合部５を介して隣接させた形体である。
【００６８】  図９（ニ）に示すクッション１は、第１縫合部４を跨いで隣接する二つのクッション体２１、２２をもつ中央クッション部２０と、第１縫合部４を跨いで隣接する二つのクッション体３１、３２をもつ第１端クッション部３０と、第１縫合部４を跨いで隣接する二つのクッション体４１、４２をもつ第２端クッション部４０を、第２縫合部５を介して隣接させた形体である。
【００６９】  図９（ホ）に示すクッション１は、第１縫合部４を跨いで隣接する三つのクッション体２１〜２３をもつ中央クッション部２０と、第１縫合部４を跨いで隣接する三つのクッション体３１〜３３をもつ第１端クッション部３０と、第１縫合部４を跨いで隣接する三つのクッション体４１〜４３をもつ第２端クッション部４０を、第２縫合部５を介して隣接させた形体である。
【産業上の利用可能性】
【００７０】  本発明のクッションは、主として介護現場において、長期療養者等の褥瘡防止用品として利用されるものである。
【符号の説明】
【００７１】  １    ・・クッション
２    ・・表皮体
３    ・・弾性材
４    ・・第１縫合部
５    ・・第２縫合部
６    ・・第３縫合部
７    ・・マチ材
１０    ・・下肢
１１    ・・脹脛部
１２    ・・大腿部
１３    ・・足部
１４    ・・踵部
１５    ・・爪先部
１６    ・・臀部
２０    ・・中央クッション部（一方のクッション部）
２１    ・・第１クッション体
２２    ・・第２クッション体
２３    ・・第３クッション体
２４    ・・第４クッション体
３０    ・・第１端クッション部（他方のクッション部）
３１    ・・第１クッション体
３２    ・・第２クッション体
３３    ・・第３クッション体
３４    ・・第４クッション体
４０    ・・第２端クッション部（他方のクッション部）
４１    ・・第１クッション体
４２    ・・第２クッション体
４３    ・・第３クッション体
４４    ・・第４クッション体
【図１】
2017209470.tif 000003
【図２】
2017209470.tif 000004
【図３】
2017209470.tif 000005
【図４】
2017209470.tif 000006
【図５】
2017209470.tif 000007
【図６】
2017209470.tif 000008
【図７】
2017209470.tif 000009
【図８】
2017209470.tif 000010
【図９】
2017209470.tif 000011
【図１０】
2017209470.tif 000012